(57)【特許請求の範囲】
【請求項１】
便蓋の自動開閉機構を有する便器と、その便器に制御信号を送信し便蓋の開閉を制御する制御部とを備えた便器内の温湿度上昇抑制システムであって、
前記制御部は、前記便器内の温度が設定温度よりも低く、且つ、湿度が設定湿度よりも低いか否かを判定する温湿度判定部を備え、この温湿度判定部によって、前記温度と湿度との少なくとも一方が前記設定温度あるいは設定湿度よりも低くないとの判定をした場合に、その判定に基づいて、便器に便蓋開信号を送信し、
前記便器が設置されたトイレ室に、制御部から制御信号を受信可能な空調装置が設けられ、
前記制御部は、前記便蓋開信号を送信してから設定時間経過後における便器内の温度が設定温度よりも低く、且つ、湿度が設定湿度よりもよりも低くなったか否かを判定する開効果判定部を備え、この開効果判定部によって、前記設定時間経過後における便器内の温度と湿度との少なくとも一方が前記設定温度あるいは設定湿度よりも低くない場合に、開効果無判定をし、その開効果無判定に基づいて、稼動開始信号を空調装置に送信し、
前記稼動開始信号を受信した空調装置は、トイレ室の温度と湿度との一方又は両方を前記設定温度、設定湿度以下にできるように稼動することを特徴とする便器内の温湿度上昇抑制システム。
【請求項２】
前記温湿度判定部は、便器内に設けられて便器内の温度と湿度とを検出する検出センサによって検出された検出温度と検出湿度とに基づいて行うことを特徴とする請求項１記載の便器内の温湿度上昇抑制システム。
【請求項３】
前記制御部は、前記稼動開始信号送信後における便器内の温度が設定温度よりも低く、且つ、湿度が設定湿度よりも低くなったか否かを判定する空調効果判定部を備え、この空調効果判定部によって、前記稼動開始信号送信後における便器内の温度が設定温度よりも低く、且つ、湿度が設定湿度よりも低い場合に、空調効果有判定をし、その判定に基づいて、稼動停止信号を空調装置に送信するとともに、便蓋閉信号を便器に送信することを特徴とする請求項１又は２記載の便器内の温湿度上昇抑制システム。
【請求項４】
便蓋が設けられているとともに、その便蓋の自動開閉操作を行い得る便器と、その便器に制御信号を送信し便蓋の開閉を制御する制御部と、前記便器が設置されたトイレ室に設けられ、制御部から制御信号を受信可能な空調装置とを用いて便器内の温湿度上昇を抑制する便器内温湿度上昇抑制方法であって、
前記制御部に、前記便器内の温度が設定温度よりも低く、且つ、湿度が設定湿度よりもよりも低いか否かを判定させ、前記温度と湿度との少なくとも一方が前記設定温度あるいは設定湿度よりも低くないとの判定をした場合に、その判定に基づいて、便器に便蓋開信号を送信させ、前記便蓋開信号を送信してから設定時間経過後における便器内の温度が設定温度よりも低く、且つ、湿度が設定湿度よりも低くなったか否かを判定する開効果判定部によって、前記設定時間経過後における便器内の温度と湿度との少なくとも一方が前記設定温度あるいは設定湿度よりも低くないとの判定をした場合に、開効果無判定をさせ、その開効果無判定に基づいて、稼動開始信号を空調装置に送信させることを特徴とする便器内の温湿度上昇抑制方法。
【発明の詳細な説明】
【技術分野】
【０００１】
本発明は、便器内の温湿度上昇抑制システム及び抑制方法に関するものである。
【背景技術】
【０００２】
従来から、例えば温度センサあるいは湿度センサ，結露センサの検知信号により、トイレ室における給水部，給水管，洗浄タンク，便器等で結露が発生する状況にあると制御器が判断した場合、便器と一体または別体でトイレ内に設置した空調器を作動させ、トイレ内を除湿するように構成した結露防止装置が提案されている（特許文献１参照）。
【特許文献１】特開２０００−０４５３５３号公報
【発明の開示】
【発明が解決しようとする課題】
【０００３】
しかしながら、上記特許文献１のように、結露が発生する状況にあると制御器が判断した場合に、常時空調器を作動させると、空調器のランニングコストが高く付いてしまう。しかも、便器が便蓋によって閉められているような場合には、空調器を作動させも、便器内を除湿し難い。又、便器が便蓋によって閉められているような場合にも、便器内を除湿しうるように空調器を設けるとすると、製作コストが高く付いてしまう。
【０００４】
本発明は、便器 内の温度や湿度の上昇を低コストで抑制できる温湿度上昇抑制システム及び抑制方法の提供を目的とする。
【課題を解決するための手段】
【０００５】
前記課題を解決するために、本発明の請求項１は、便蓋の自動開閉機構を有する便器と、その便器に制御信号を送信し便蓋の開閉を制御する制御部とを備えた便器内の温湿度上昇抑制システムであって、前記制御部は、前記便器内の温度が設定温度よりも低く、且つ、湿度が設定湿度よりも低いか否かを判定する温湿度判定部を備え、この温湿度判定部によって、前記温度と湿度との少なくとも一方が前記設定温度あるいは設定湿度よりも低くないとの判定をした場合に、その判定に基づいて、便器に便蓋開信号を送信し、前記便器が設置されたトイレ室に、制御部から制御信号を受信可能な空調装置が設けられ、前記制御部は、前記便蓋開信号を送信してから設定時間経過後における便器内の温度が設定温度よりも低く、且つ、湿度が設定湿度よりもよりも低くなったか否かを判定する開効果判定部を備え、この開効果判定部によって、前記設定時間経過後における便器内の温度と湿度との少なくとも一方が前記設定温度あるいは設定湿度よりも低くない場合に、開効果無判定をし、その開効果無判定に基づいて、稼動開始信号を空調装置に送信し、前記稼動開始信号を受信した空調装置は、トイレ室の温度と湿度との一方又は両方を前記設定温度、設定湿度以下にできるように稼動することを特徴とする便器内の温湿度上昇抑制システムを提供する。
【０００６】
請求項２のように、前記温湿度判定部は、便器内に設けられて便器内の温度と湿度とを検出する検出センサによって検出された検出温度と検出湿度とに基づいて行うことが好ましい。
【０００８】
請求項３のように、前記制御部は、前記稼動開始信号送信後における便器内の温度が設定温度よりも低く、且つ、湿度が設定湿度よりも低くなったか否かを判定する空調効果判定部を備え、この空調効果判定部によって、前記稼動開始信号送信後における便器内の温度が設定温度よりも低く、且つ、湿度が設定湿度よりも低い場合に、空調効果有判定をし
、その判定に基づいて、稼動停止信号を空調装置に送信するとともに、便蓋閉信号を便器に送信することが好ましい。
【０００９】
本発明の請求項４は、便蓋が設けられているとともに、その便蓋の自動開閉操作を行い得る便器と、その便器に制御信号を送信し便蓋の開閉を制御する制御部と、前記便器が設置されたトイレ室に設けられ、制御部から制御信号を受信可能な空調装置を用いて便器内の温湿度上昇を抑制する便器内温湿度上昇抑制方法であって、前記制御部に、前記便器内の温度が設定温度よりも低く、且つ、湿度が設定湿度よりもよりも低いか否かを判定させ、前記温度と湿度との少なくとも一方が前記設定温度あるいは設定湿度よりも低くないとの判定をした場合に、その判定に基づいて、便器に便蓋開信号を送信させ、前記便蓋開信号を送信してから設定時間経過後における便器内の温度が設定温度よりも低く、且つ、湿度が設定湿度よりもよりも低くなったか否かを判定する開効果判定部によって、前記設定時間経過後における便器内の温度と湿度との少なくとも一方が前記設定温度あるいは設定湿度よりも低くないとの判定をした場合に、開効果無判定をさせ、その開効果無判定に基づいて、稼動開始信号を空調装置に送信させることを特徴とする便器内の温湿度上昇抑制方法を提供する。
【発明の効果】
【００１０】
請求項１及び請求項４によれば、制御部は、温湿度判定部によって、便器内の温度と湿度との少なくとも一方が前記設定温度あるいは設定湿度よりも低くないとの判定をした場合に、便器に便蓋開信号を送信し、便器はその受信した便蓋開信号に基づいて便蓋を開ける。これにより、開信号便器内の温度や湿度が設定温度又設定湿度よりも高くなるのを抑制できる。従って、便器内にカビ等の細菌が発生し、あるいは、細菌が繁殖するのを抑制できる。しかも、便器内の温度と湿度との少なくとも一方が設定温度あるいは設定湿度以上になった場合には、便蓋を開けるため、低コストで行うことができる。
又、便器が設置されたトイレ室に、制御部から制御信号を受信する空調装置が設けられ、制御部は、開効果無判定をした場合に、稼動開始信号を空調装置に送信し、稼動開始信号を受信した空調装置は、トイレ室の温度と湿度との一方又は両方を前記設定温度、設定湿度よりも低くできるように稼動する。従って、便器内の温度又は湿度を、空調装置の稼動によって、迅速且つ確実に設定温度又は設定湿度よりも下げることができる。
【００１１】
請求項２によれば、温湿度判定部は、便器内の温度と湿度とを検出する検出センサによって検出された検出温度と検出湿度とに基づいて行うため、便器内の温度と湿度とが夫々設定温度、設定湿度よりも低いか否かを正確に確実に判定できる。
【００１３】
請求項３によれば、制御部は、空調効果判定部によって、空調効果有判定をした場合に、稼動停止信号を空調装置に送信するとともに、便蓋閉信号を便器に送信する。これにより、空調装置は稼動を停止し、空調装置のランニングコストを抑えることができる。又、便器はその受信した便蓋閉信号に基づいて蓋を閉め、これにより、便器にカビなどの細菌が入るのを防止でき、清潔なものにできる。
【発明を実施するための最良の形態】
【００１４】
以下、本発明を実施するための最良の形態について、図面を参照しながら詳細に説明する。
【００１５】
図１は、本発明の一実施の形態の便器内の温湿度上昇抑制システムを施したトイレ室９の概略図、図２は、同システムに用いられる便器の蓋開閉操作部を説明するためのブロック図、図３は、同システムに用いられる制御部を説明するためのブロック図、図４は、同システムに用いられるエアコンの稼動操作部を説明するためのブロック図である。
【００１６】
本発明の便器内の温湿度上昇抑制システムは、図１に示すように、トイレ室９内に設置された便器１と、トイレ室９内の温度および湿度を調整する空調装置としてのエアコン（エアコンディショナー）２と、これらの便器１及びエアコンに制御信号を有線又は無線（この実施形態では無線）で送信する制御部３とを備えている。
【００１７】
便器１には、便座４が付設されているとともに、便蓋５が付設されている。便座４は、この実施形態では、図示しないが、内部に加熱手段が設けられており、その加熱手段によって便座を暖めうるように構成されている。
【００１８】
便蓋５は、自動開閉機構によって便器１の開口を自動開閉できるように、便座４と共に便器１に取り付けられている。
【００１９】
この実施形態の自動開閉機構は、図示しないが、例えば便蓋５を便器１に対して回転自在に取り付けるとともに、便蓋５に設けられた従属ギアと、便器１に設けられその従属ギアと噛合した駆動ギアと、その駆動ギアを回転駆動させる駆動装置としての正逆回転切り替え可能なモータとを備えている。
【００２０】
そして、例えばモータの正回転により、駆動ギアを一方向側に回転させることによって便蓋５を開け（図１の状態）、モータの逆回転により、駆動ギアを他方向側に回転させることによって便蓋５を閉め得るようになっている。尚、自動開閉機構は、この形態のものに限らず、例えば油圧装置を用いて便蓋５を開閉操作するようにしても良く、適宜変更できる。
【００２１】
又、便器１は、図２に示すように、便蓋５の開閉操作を自動開閉機構に行わせる便蓋操作部１０を備えている。この便蓋操作部１０は、開操作部１１と、閉操作部１２と、受信部１３とを備えている。
【００２２】
受信部１３は、例えば後述する制御信号である便蓋開信号、便蓋閉信号を制御部３から受信する。
【００２３】
開操作部１１は、制御部３から便蓋開信号を受信した場合に、その便蓋開信号に基づいて上記モータを正回転させ便蓋５の開操作を行わせる。
【００２４】
閉操作部１２は、制御部３から便蓋閉信号を受信した場合に、その便蓋閉信号に基づいて上記モータを逆回転させ便蓋５の閉操作を行わせる。
【００２５】
又、便器１は、図示しないが、記録装置であるメモリ、制御装置であるＣＰＵ、表示装置である表示部、制御部３と通信するため通信インターフェース等を備えている。
【００２６】
そして、上記ＣＰＵは、図２の開操作部１１、閉操作部１２、受信部１３として機能する。
【００２７】
次に、制御部３について説明する。この実施形態の制御部３は、図３に示すように温湿度判定部３１と、開効果判定部３２と、空調効果判定部３３と、送信部３４とを備えている。
【００２８】
温湿度判定部３１は、便器１内の温度が設定温度よりも低く、且つ、湿度が設定湿度よりも低いか否かを判定する。この実施形態では、便器１内に設けられ便器１内の温度と湿度とを検出する検出センサ６（図１に図示）によって検出された検出温度と検出湿度とに基づいて行う。
【００２９】
尚、検出センサ６は、この実施形態では、温度を検出する温度検出センサと、湿度を検出する湿度検出センサとの別体からなる２つから構成されている。ただし、検出センサ６は、この形態のものに限らず、適宜変更し得る。又、温度検出センサと湿度検出センサとの別体の２つから構成する場合、便器内において、互いに近接した位置に配設しても良いが、互いに離れた位置に配設しても良い。
【００３０】
又、設定温度及び設定湿度は、カビなどの細菌が繁殖し易い温度及び湿度とされている。この実施形態では、設定温度は２５°Ｃとされており、設定湿度は、６５％とされている。
【００３１】
そして、便器１内の検出温度が２５°Ｃよりも低く（検出温度＜２５°Ｃ）、且つ、便器１内の検出湿度が６５％よりも低い場合（検出湿度＜６５％）に、温湿度判定部３１は、便器１内の温度が設定温度よりも低く、且つ、湿度が設定湿度よりも低いとの低温湿度判定をする。
【００３２】
一方、便器１内の検出温度と検出湿度との少なくとも一方が設定温度である２５°Ｃ、あるいは設定湿度である６５％よりも低くない場合、即ち、検出温度が２５°Ｃ以上（便器内温度≧２５°Ｃ）で、検出湿度が６５％よりも低い場合、検出温度が２５°Ｃよりも低く、検出湿度が６５％以上（検出湿度≧６５％）の場合、検出温度が２５°Ｃ以上で、検出湿度も６５％以上の場合に、開効果判定部３２は、便器１内の温度と湿度との少なくとも一方が設定温度、あるいは設定湿度よりも低くないとの低温湿度判定をする。
【００３３】
また、制御部３は、高温湿度判定をした場合は、便蓋開信号を生成する。
【００３４】
開効果判定部３２は、便蓋５を開けた効果の有無を判定するもので、具体的には、便蓋開信号を便器１に送信してから設定時間経過後、便器１内の温度が上記設定温度よりも低く（検出温度＜設定温度）、且つ、便器１内の湿度が上記設定湿度よりも低い（検出湿度＜設定湿度）か否かを、上記検出センサ６によって検出された検出温度と検出湿度とに基づいて判定をする。
【００３５】
尚、設定時間は、特に限定されず、適宜変更できる。この実施形態では、設定時間は、５〜１０分程度とされている。
【００３６】
そして、便器１内の検出温度が上記設定温度よりも低く、且つ、便器１内の湿度が上記設定湿度よりも低い場合、開効果判定部３２は、便蓋５を開けた効果が有ったとの開効果有判定をする。
【００３７】
一方、便器１内の検出温度と検出湿度との少なくとも一方が前記設定温度あるいは設定湿度よりも低くない場合、開効果判定部３２は、便蓋５を開けた効果が未だあまり無いとの開効果無判定をする。
【００３８】
又、制御部３は、開効果有判定をした場合は、便蓋閉信号を生成する。一方、開効果無判定をした場合は、稼動開始信号を生成する。
【００３９】
空調効果判定部３３は、空調装置としてのエアコン２が稼動した効果の有無を判定するもので、具体的には、上記稼動開始信号をエアコン２に送信した後における便器１内の温度が上記設定温度よりも低く（検出温度＜設定温度）、且つ、便器１内の湿度が上記設定湿度よりも低い（検出湿度＜設定湿度）か否かを、上記検出センサ６によって検出された検出温度と検出湿度とに基づいて判定する。
【００４０】
そして、便器１内の検出温度が上記設定温度よりも低く、且つ、便器１内の検出湿度が上記設定湿度よりも低い場合、空調効果判定部３３は、エアコン２の稼動の効果が有ったとの空調効果有判定をする。
【００４１】
一方、便器１内の検出温度と検出湿度との少なくとも一方が前記設定温度あるいは設定湿度よりも低くない場合、空調効果判定部３３は、エアコン２の稼動の効果が未だあまり無いとの空調効果無判定をする。
【００４２】
又、制御部３は、空調効果有判定をした場合は、稼動停止信号を生成するとともに、便蓋閉信号を生成する。
【００４３】
送信部３４は、例えば便蓋開信号や便蓋閉信号を便器１に送信し、又、稼動開始信号や稼動停止信号をエアコン２に送信する。
【００４４】
又、制御部３は、図示しないが、記録装置であるメモリ、制御装置であるＣＰＵ、表示装置である表示部、便器１及びエアコン２と通信するため通信インターフェース等を備えている。
【００４５】
そして、上記ＣＰＵは、図３の温湿度判定部３１、開効果判定部３２、空調効果判定部３３、送信部３４として機能する。
【００４６】
次に、エアコン２について説明する。この実施形態のエアコン２は、図１に示すようにトイレ室９における便器１の側方側に設置された熱交換機を有する室内機２０、冷媒を圧縮する圧縮機（図示せず）、熱交換機を有する室外機（図示せず）等を備えたものから構成されている。
【００４７】
又、室内機２０は、例えばこれらによって発生させた冷気を、室内機２０に開設された開口部２０ａ（図１に図示）から、室内機２０に内設されたファン（図示せず）及びルーパー（図示せず）によって冷風にして便器１内に向かって送出できるように構成されている。
【００４８】
又、このエアコン２の室内機２０には、図４に示すように、制御部３からの制御信号を受信しエアコン２の稼動を操作する稼動操作部２０ａが備えられている。又、この稼動操作部２０ａは、図４に示すように稼動開始部２１と、稼動停止部２２と、受信部２３とを備えている。
【００４９】
稼動開始部２１は、上記稼動開始信号を制御部３から受信した場合に、その稼動開始信号に基づいて、エアコン２を、トイレ室９の温度が上記設定温度よりも低く、湿度が上記設定湿度よりも低くできるように設定して稼動させる。
【００５０】
この実施形態では、稼動開始部２１による稼動に際し、トイレ室９が上記設定温度よりも低い温度、及び上記設定湿度よりも低い湿度になるように予め設定されたエアコンの冷房運転条件で冷房運転を行い、室温を上記設定温度よりも低くするとともに、上記設定湿度よりも低くなるように除湿するようになっている。
【００５１】
稼動停止部２２は、稼動停止信号を制御部３から受信した場合に、その稼動停止信号に基づいて、エアコンの稼動を停止させる。
【００５２】
受信部２３は、例えば制御信号である稼動開始信号、稼動停止信号を制御部３から受信する。
【００５３】
又、エアコン２（室内機２０）は、図示しないが、記録装置であるメモリ、制御装置であるＣＰＵ、表示装置である表示部、制御部３と通信するため通信インターフェース等を備えている。
【００５４】
そして、上記ＣＰＵは、図３のエアコン稼動開始部２１、エアコン稼動停止部２２、受信部２３として機能する。
【００５５】
次に、本システムの動作について、図５、図６に基づいて説明する。尚、説明の都合上、便蓋５が閉状態になっている状態から説明する。
【００５６】
まず、制御部３は、便器１内の温度が設定温度よりも低く、且つ、湿度が設定湿度よりも低いか否かを、検出センサ６によって検出された検出温度と検出湿度とに基づいて判定する（図５、ステップＳ１）。
【００５７】
このステップＳ１において、便器１内の温度が設定温度よりも低く、かつ、湿度が設定湿度よりも低い場合、制御部３は、低温湿度判定をし、制御を戻す。
【００５８】
一方、ステップＳ１において、便器１内の温度と湿度との少なくとも一方が設定温度、あるいは設定湿度よりも低くない場合、制御部３は、高温湿度判定をし、その判定に基づいて、便器１に便蓋開信号を送信する。
【００５９】
例えば図６に示すように、湿度が設定湿度よりも低いが、温度が設定温度よりも低くない場合は、制御部３は、高温湿度判定をする。
【００６０】
便蓋開信号を受信した便器１（便蓋操作部１１）は、便蓋５を開ける（図５、ステップＳ２）。
【００６１】
そして、便蓋開信号を送信してから設定時間経過後（この実施形態では、５分）、便器１内の温度が設定温度よりも低く、且つ、湿度が設定湿度よりも低いか否かを、検出センサ６によって検出された検出温度と検出湿度とに基づいて判定する（図５、ステップＳ３）。
【００６２】
このステップＳ３において、便器１内の温度が設定温度よりも低く、且つ、湿度が設定湿度よりも低い場合、制御部３は、開効果有判定をし、その判定に基づいて、便蓋閉信号を生成し、便器１に送信する。
【００６３】
便蓋閉信号を受信した便器１は、後述のステップＳ７に制御を移し、便蓋５を閉じる。
【００６４】
一方、ステップＳ３において、便器１内の温度と湿度との少なくとも一方が設定温度、あるいは設定湿度よりも低くない場合、制御部３は、開効果無判定をするとともに、その判定に基づいて、稼動開始信号を生成し、エアコン２に送信する。
【００６５】
例えば図６に示すように、便蓋開信号を送信してから設定時間経過後、便器１内の温度が設定温度以上で、しかも、湿度が設定湿度以上の場合、制御部３は、開効果無判定をする。
【００６６】
稼動開始信号を受信したエアコン２は、その稼動開始信号に基づいて、稼動する（図５、ステップＳ４）。
【００６７】
そして、制御部３は、稼動開始信号を送信した後における便器１内の温度が設定温度よりも低く、且つ、湿度が設定湿度よりも低くなったか否かを、検出センサ６によって検出された検出温度と検出湿度とに基づいて判定する（図５、ステップＳ５）。
【００６８】
このステップＳ５において、便器１内の温度と湿度との少なくとも一方が設定温度、あるいは設定湿度よりも低くない場合、空調効果無判定をし、便器１内の温度と湿度との両方が夫々設定温度、設定湿度よりも低くなるまで待つ。
【００６９】
一方、ステップＳ５において、例えば図６に示すように便器１内の温度が設定温度よりも低く、且つ、湿度が設定湿度よりも低くなっている場合は、空調効果有判定をし、その判定に基づいて、稼動停止信号を生成し、エアコン２に送信するとともに、便蓋閉信号を生成し、便器１に送信する。
【００７０】
稼動停止信号を受信したエアコン２は、その稼動停止信号に基づいて、稼動を停止する（図５、ステップＳ６）。
【００７１】
便蓋閉信号を受信した便器１は、その便蓋閉信号に基づいて、便蓋を閉める（図５、ステップＳ７）。
【００７２】
尚、上記実施形態では、便器１内の温度や湿度を設定温度、設定湿度よりも低くする手段として空調装置としてのエアコン２を用いているが、この形態のものに限らず、適宜変更し得る。
【００７３】
例えば空調装置を用いないで、便器１内の温度または湿度が設定温度、設定湿度以上になった場合に、便蓋５を開けて、温度及び湿度が設定温度、設定湿度よりも低くなるまで開けておき、低くなった場合に、制御部３が便蓋閉信号を生成して便蓋５に送信するようにして良い。
【００７４】
又、空調装置を用いる場合、上記のようなエアコン２を用いる形態のものに限らず、例えば送風機によって温度と湿度を下げ、あるいは、送風機とエアコンとによって、更には、送風機とエアコンと除湿機等を組み合わせて温度と湿度を下げるようにしても良い。
【００７５】
又、上記実施形態では、制御部３を、便器１やエアコン２と別途に設けたものとしているが、例えば便器１又はエアコン２に組み込んで付設したものとしても良い。
【００７６】
又、上記実施形態では、稼動開始信号をエアコン２に送信した後、制御部３が空調効果有判定をした場合に、稼動停止信号を生成してエアコン２に送信することによってエアコン２の稼動を停止させているが、この形態のものに限らず、適宜変更できる。
【００７７】
例えば、トイレ室の温度又は湿度を検出するセンサを設け、所定の温度又は湿度になった場合に、制御部３がそのセンサの検出データに基づいて稼動停止信号を生成してエアコン２に送信してエアコン２が稼動を停止し、あるいは、エアコン２がそのセンサの検出データに基づいて稼動を停止するようにしても良い。
【００７８】
又、上記実施形態では、エアコン２の室内機２０の開口部２０ａから冷風を便器１内に向かって吹き出すようにしているが、例えば開口部２０ａから、便器１の上方側に吹き出すようにしても良い。ただし、開口部２０ａを、便器１内に向かって冷風を吹き出すようにしておけば、便器１内の温度及び湿度をより迅速に低くでき、その点でそのように構成しておくのが好ましい。
【図面の簡単な説明】
【００７９】
【図１】本発明の一実施の形態の便器内の温湿度上昇抑制システムを施したトイレ室の概略図である。
【図２】同システムに用いられる便器の便蓋操作部を説明するためのブロック図である。
【図３】同システムに用いられる制御部を説明するためのブロック図である。
【図４】同システムに用いられるエアコンの稼動操作部を説明するためのブロック図である。
【図５】本発明のシステムの動作を説明するためのフローチャートである。
【図６】温度及び湿度と、便蓋及びエアコンの動作の説明図である。
【符号の説明】
【００８０】
１    便器
２    エアコン（空調装置）
３    制御部
６    便蓋
【図１】
0005199648.tif 000002
【図２】
0005199648.tif 000003
【図３】
0005199648.tif 000004
【図４】
0005199648.tif 000005
【図５】
0005199648.tif 000006
【図６】
0005199648.tif 000007